(57)【要約】      （修正有）【課題】壁に固定して利用し、又は、テーブルの上に置いて利用するのを容易にすると共に、表示内容を変更可能にして広く活用できる表示装置を提供する。【解決手段】球体の表面に描かれた図形又は模様を表示する表示部１１が、球体の一部を平面で切断した球面部分と同一又は相似形状の表示面を有し、球面部分の縁線と球体の中心点を結ぶ円錐の頂角が９０度以上で１２０度以下とし、表示部１１は液晶又は有機ＥＬで構成する。【選択図】図１
2014170033.tif 000002
【特許請求の範囲】
【請求項１】
球体の表面に描かれた図形又は模様を表示する表示部が前記球体の一部を平面で切断した球面部分と同一又は相似形状の表示面を有し、前記球面部分の縁線と前記球体の中心点を結ぶ円錐の頂角が９０度以上で１２０度以下とし、前記表示部は液晶又は有機ＥＬで構成したことを特徴とする球体表面上の図形等を表示する表示装置。
【請求項２】
前記表示装置は、前記球体表面の図形又は模様を球面座標形式により記録した記憶装置と、前記表示部に表示されている図形等を左右前後方向の移動操作等の操作ボタンを設けた操作パネルと、前記操作パネルで指定された操作を実行する制御部と、を具備することを特徴とする請求項１に記載の球体表面上の図形等を表示する表示装置。
【請求項３】
前記記憶装置は、前記球体の表面上の原点を通り、直交する２本の基準座標軸を設け、前記各基準座標軸は前記球体の表面を３６０度で周回し、一周回後に元の位置座標に戻る座標軸からなり、各座標軸の一周長さを等間隔で分割して複数の正方形の枠を有する部分小曲面を構成し、前記球体の表面に描かれた図形等を前記部分小曲面に分割し、かつ分割された部分の図形等の画像をデータ化し、アドレス番号と画像データを対応付けて記憶装置に記録したことを特徴とする請求項２に記載の球体表面上に描かれた図形等を表示する表示装置。
【請求項４】
前記制御部は、前記球面座標形式で表された点の位置座標を平面座標系の位置座標に相互に変換する変換手段を具備し、前記平面座標系は前記球体表面上の原点に対応する原点を有し、平面上で直交する座標軸を有し、各座標軸は原点を中心に−１８０度〜＋１８０度の基本範囲と基本範囲を超えた範囲では３６０度を周期とする座標系で構成され、曲面座標形式の位置座標と同じ位置座標の平面座標系には同一のアドレス番号が付されていることを特徴とする請求項２に記載の球体表面上に描かれた図形等を表示する表示装置。
【請求項５】
前記操作パネルで左右前後方向に移動操作が行われた時は、前記制御部は、前記表示部に表示された図形の移動操作前の図形中心位置に対応する前記平面座標系の中心位置を平面座標系上で同一方向に移動させ、移動後の中心位置を中心に前記頂角を直径とする円を定め、該円内部の全ての点のアドレスを読み取り、該アドレスの球面座標系の画素データを前記表示部の記録装置から読み取り、該画素データにより前記表示部に表示されている図形等を更新することを特徴とする請求項１〜請求項４に記載の球体表面上に描かれた図形等を表示する表示装置。
【請求項６】
前記移動操作による更新は移動操作が行われている間は所定時間ごとに更新処理をすることを特徴とする請求項５に記載の球体表面上に描かれた図形等を表示する表示装置。
【請求項７】
前記操作パネルにサブルーチンへのジャンプボタンを設け、前記ジャンプボタンが選択された場合は、前記制御手段は、図形等を表示している状態からサブルーチンにジャンプする機能と前記ジャンプしたサブルールーチンから元の状態に復帰する機能を具備したことを特徴とする請求項２に記載の球体表面上に描かれた図形等を表示する表示装置。
【請求項８】
前記表示装置は地球表面の地図を表示する地球儀であり、前記操作パネルに検索ボタンを設け、国名や地名等の名称からその所在位置を検出し、検出した所在位置を表示面の中央に表示することを特徴とする請求項２〜請求項７の何れか１に記載の球体表面上に描かれた図形等を表示する表示装置。
【請求項９】
前記記録装置は着脱自在、交換自在にしたことを特徴とする請求項１に記載の球体表面上に描かれた図形等を表示する表示装置。
【請求項１０】
前記記録装置の地図や図形又は名称等が実際と異なった場合には、新たな地球儀を作成し、専用の読み取り装置によりデータを更新可能にしたことを特徴とする請求項１に記載の球体表面上に描かれた図形等を表示する表示装置。
【発明の詳細な説明】
【技術分野】
【０００１】
本発明は球体表面に描かれた図形等を表示する表示装置に関する。
【背景技術】
【０００２】
球体表面に描かれた図形としては、地球儀、月球儀、火星儀等がある。これらの中で最も馴染み深い物が地球儀である。地球儀は地球を形取って作った模型の表面に経線・緯線、水陸分布図を描いたものであり、北極点と南極点を通る軸を中心に回転するように作られている。一方、紙の平面に経線・緯線、水陸分布図を描いたものとしては世界地図がある。メカルト図法、ミラー図法で描いた世界地図は経線と緯線が直角に交わり世界全体が見やすく配置できるため現在最も多く使われている。この地図は、紙に描かれているため製作が容易で、安価であり、かつ、取り扱いも簡単である。これに対して、地球儀は球体の表面に地図を描いて作るため製作も容易でなく、また、回転させて利用するために台座の上に弓型の支持部材を設け、該支持部材の両端に支軸を設けて回転可能にしている。このため球体の直径が大きいと保管場所や取り扱いが煩雑になる。
【０００３】
しかし、地球儀は距離、方位、面積、形の全てを正しく表すことできるが、平らな紙の上に描いた地図はどんな図法を使用しても距離、方位、面積、形の全てを同時に正しく表すことができないという欠点がある。例えば、メカルト図法やミラー図法で描いた世界地図は赤道から北や南の方に行けば行くほど、正しい比率で表された面積より大きくなってしまう。
【０００４】
また、昔から使われていた地球儀は球体の表面に地図等を描いたものを張り付けるか、直接表面に地図等を描いているため球面全体が必要であり、球面に描かれた図面等を変更できないという不便があった。例えば、地図に雲の流れを追加したくても、追加できなかった。地図等の図面等を変更できるようにしたものとしては、半球体の表示面を液晶で構成したもの（特許文献１）、半球面のスクリーン上にプロジェクターによって画像を表示するようにしたもの（特許文献２、特許文献３）、半球面のスクリーン上に光源ユニットからの信号を走査しながら照射するようにしたもの（特許文献４）等がある。
【０００５】
なお、特許文献１に記載された装置は、半球の凸面状に形成した２枚のガラス板からなる基板を相対向させ、その基板間に液晶を封入し、両基板の対向面に、Ｘ−Ｙマトリクス状の電極を設けた液晶表示装置であって、液晶の構成方法が記載されている他に、操作部の切換操作によって、画像の切換が可能である旨が記載されている。
【０００６】
特許文献２に記載された装置は、半球形のドーム状スクリーンの内側から照射レンズ、魚眼レンズ系を有するプロジェクターによって、画像データベースに蓄積された画像データを投影する装置であり、スクリーンの外側から人が手を近づけて触れるとセンサーが感知して画面が切り替わるようになっている。
特許文献３に記載の装置は、特許文献２に記載の装置と類似した構成になっている。
【０００７】
特許文献４に記載された装置は、上側に開口を有するケーシング内に伸縮自在なスクリーンを平面状態にして収め、使用するときはスクリーンを膨らませて半球状態にし、又は膨らみ方を変え（曲率を変更して）その中間状態にして、ケーシング内に設けられた光源ユニットからの照射光を反射板を介してスクリーンに照射するようにしたもので、反射板を２方向に回動させて照射光がスクリーンを走査するようにした装置である。
【先行技術文献】
【特許文献】
【０００８】
【特許文献１】公開特許公報、特開平０６−２５８６２５、液晶表示装置
【特許文献２】公開特許公報、特開２００３−２４１６４８、マルチメディア地球儀、並びにマルチメディア地球儀制御システム
【特許文献３】公開特許公報、特開２０１０−２０４４８９、球状ディスプレイ及びディジタル地球儀
【特許文献４】公開特許公報、特開２０１２−２３０４０４、ディスプレイ装置
【非特許文献】
【０００９】
【非特許文献１】地球儀の魅力１巻〜３巻、少年写真新聞社出版、佐藤正志監修
【非特許文献２】新有機ＥＬディスプレイ、電波新聞社出版、河村正行著
【発明の開示】
【発明が解決しようとする課題】
【００１０】
以上に述べたように、球体表面上の図形等を表示する表示装置で、図形等を移動或いは変更可能にした表示装置は表示部を半球状の球面で構成している。従って、これらの表示装置は、表示部の直径に対して２分の１の高さを有する凸部を有し、図体が嵩張る。また、表示部の中央の方向から見る場合には表示部の縁部は視線方向に対して平行又は平行に近い状態になり、体を動かさない限り、縁部の地図等の図形が見にくいという問題も生じる。また、これらの地図は紙に描かれた地図のように、壁に貼って利用し、或いは、テーブルの上で広げて利用することは困難を伴う。さらに、特許文献１に記載された装置では、表示部を半球面状にしているため液晶の製造も複雑になる。
【００１１】
本発明は上記した問題点を解決するために行われたものである。即ち、従来の地球儀の正確性を失わずに壁に固定して利用し、又は、テーブルの上に置いて利用するのを容易にすると共に、表示内容を変更可能にして広く活用できる表示装置を提供することを課題とする。
【課題を解決するための手段】
【００１２】
解決手段１の発明は、球体の表面に描かれた図形又は模様を表示する表示部を前記球体の一部を平面で切断した部分球面（凸球面）と同一又は相似形状を有し、前記部分球面の縁線と前記球体の中心点を結ぶ円錐の頂角が９０度以上で１２０度以下とし、前記表示部は液晶又は有機ＥＬで構成したことを特徴とする。
【００１３】
解決手段２の発明は、解決手段１の発明において、前記表示装置は、前記球体表面の図形又は模様を球面座標形式により記録した記憶装置と、前記表示部に表示されている図形等を左右前後方向の移動操作等の操作ボタンを設けた操作パネルと、前記操作パネルで指定された操作を実行する制御部と、を具備することを特徴とする。
【００１４】
解決手段３の発明は、解決手段２の発明において、前記記憶装置は、前記球体の表面上の原点を通り、直交する２本の基準座標軸を設け、前記各基準座標軸は前記球体の表面を３６０度で周回し、一周回後に元の座標位置に戻る座標軸からなり、各座標軸の一周長さを等間隔で分割して複数の正方形の枠を有する部分小曲面を構成し、前記球体の表面に描かれた図形等の画像を前記部分小曲面に分割し、かつ分割された部分の図形等の画像をデータ化し、アドレス番号と画素データを対応付けて記憶装置に記録したことを特徴とする。
【００１５】
解決手段４の発明は、解決手段２の発明において、前記制御部は、前記球面座標形式で表された点の位置座標を平面座標系の位置座標に相互に変換する変換手段を具備し、前記平面座標系は前記球体表面上の原点に対応する原点を有し、平面上で直交する座標軸を有し、各座標軸は原点を中心に−１８０度〜＋１８０度の基本範囲と基本範囲を超えた範囲では３６０度を周期とする座標系で構成され、曲面座標形式の位置座標と同じ位置座標の平面座標系には同一のアドレス番号が付されていることを特徴とする。
【００１６】
解決手段５の発明は、解決手段２〜４の発明において、前記操作パネルで左右前後方向に移動操作が行われた時は、前記制御部は、前記表示部に表示された図形の移動操作前の図形中心位置に対応する前記平面座標系の中心位置を平面座標系上で同一方向に移動させ、移動後の中心位置を中心に前記頂角を直径とする円を定め、該円内部の全ての点のアドレスを読み取り、該アドレスの球面座標系の画素データを前記表示部の記録装置から読み取り、該画素データにより前記表示部に表示されている図形等を更新することを特徴とする。
【００１７】
解決手段６の発明は、解決手段５の発明において、前記移動操作による更新は移動操作が行われている間は所定時間ごとに更新処理をすることを特徴とする。
【００１８】
解決手段７の発明は、解決手段２〜６の発明において、前記操作パネルにサブルーチンへのジャンプボタンを設け、前記ジャンプボタンが選択された場合は、前記制御手段は、図形等を表示している状態からサブルーチンにジャンプする機能と前記ジャンプしたサブルールーチンから元の状態に復帰する機能を具備したことを特徴とする。
【００１９】
解決手段８の発明は、解決手段２の発明において、前記表示装置は地球表面の地図を表示する地球儀であり、前記操作パネルに検索ボタンを設け、国名や地名等の名称からその所在位置を検出し、検出した所在位置を前記表示部の中央に表示することを特徴とする。
【００２０】
解決手段９の発明は、解決手段１の発明において、前記記録装置は着脱自在、交換自在にしたことを特徴とする。
【００２１】
解決手段１０の発明は、解決手段１の発明において、前記記録装置の地図や図形又は名称等が実際と異なった場合には、新たな地球儀を作成し、専用の読み取り装置によりデータを更新可能にしたことを特徴とする。
【発明の効果】
【００２２】
解決手段１の発明によれば、表示部の直径の大きさに比べて高さの低い表示装置が形成できるので壁に固定して、又はテーブルの上に置いて容易に使用できるという効果が得られる。また、上方から見たときに表示部の縁部まで容易に見えるようにしたので表示部に表示された全体の図形等が見やすいという効果も得られる。更に、従来装置（特許文献１）に比べて、液晶の製造の全工程における製造作業が簡単になり、製造コストも安価になるという効果が得られる。
【００２３】
解決手段２の発明によれば、左（又は右）方向の移動操作及び前（又は後）方向の移動操作の各操作を１回行うだけで球体表面の全図形等が表示できるので操作が簡単になるという効果が得られる。
【００２４】
解決手段３〜解決手段５の発明によれば、球面座標と平面座標が対応付けられているので操作パネルで移動操作等の操作内容が容易に理解できるという効果が得られる。また、記憶装置は球面座標を利用しているので、実際の球体表面に描かれた図面等のデータの読み取り装置も容易に構成できるという効果も得られる。
【００２５】
解決手段７の発明によれば、表示されている図面等を説明する情報や関連する付加情報を追加できるという効果が得られる。
【００２６】
解決手段９、解決手段１０の発明によれば、球体表面上の図形等が変更した場合、例えば、地球儀において、国の境界や国の名称等が変化して、実際の世界地図と合わなくなった場合でも記録装置を交換するだけで利用できるという効果が得られる。
【図面の簡単な説明】
【００２７】
【図１】表示装置の全体構成を示す。
【図２】本願装置と従来装置の比較を示す。
【図３】球面座標系と平面座標系の関係の説明図を示す。
【図４】移動操作の説明を示す。
【図５】図形等のデータ読み取り装置の例を示す。
【図６】操作パネルのジャンプボタンの説明図を示す。
【図７】操作パネルの検索ボタンの説明図を示す。
【発明を実施するための形態】
【００２８】
本発明を地球儀に適用した場合について以下に説明する。
図１はシステム全体の構成を示す。図１において、表示装置１０は表示部１１と固定部１２から構成され、表示部１１が配線（図示省略）によりアドレス／データ・バス２０に接続されている。また、バス２０には地図等の図形データを記録した記録装置３０、制御装置４０が接続されている。制御装置４０には赤外線等による操作パネル５０が接続され、更に配線によりメモリ４１が接続されている。表示部１１は液晶又は有機ＥＬで構成され、図形等がカラー表示される。記録装置３０は地図データの他に後述する写真や動画データも記録されている。動画の音声データはスピーカー１３により出力される。制御装置４０はマイコン等のコンピュータで構成され、種々の手続きを実行する。操作パネル５０は電源のオン・オフ操作（操作ボタン５４）の他、移動操作（操作ボタン５１）、ジャンプ操作（操作ボタン５２）、検索操作（操作ボタン５３）によって遠隔操作で操作可能になっている。
【００２９】
図２は表示部の表示面の形状の説明図である。図２（Ａ）は地球儀の大きさの球体１１０の断面図及び従来の表示装置の表示部１１１（円錐角１８０度）、本発明の表示部１１２（円錐角９０度）〜１１３（円錐角１２０度）の球面形（凸面）の断面図を示す。図（Ｂ）は上から見た平面図の大きさの比較、図（Ｃ）は断面高さの比較を示す。図（Ｂ）、（Ｃ）から理解できるように、凸面１１２，１１３は半球面１１１に比べて凸面の平面図の面積がそれほど小さくなっていないにも関わらず、凸面の高さが著しく低くなっている。本発明が円錐角９０度〜円錐角１２０度の凸面を採用している理由については後述する。
【００３０】
図３（Ａ）は球体表面に設けられた球面座標系を説明するための図であり、図３（Ａ）は球面座標系を正面から見た状態を示す。球面座標系は球面上の１点を原点０とし、原点０を通り、球面上で直交する２軸をα軸、β軸として定めた座標系である。α軸の目盛は、α軸上の２点と球体１１０の中心点０を結んだ夾角を単位とする。従って、右端の目盛は９０度となり、９０度〜１８０度は球面の裏側に配置される。また、α軸は３６０度を周期とするが、ここでは右半面の座標を０度から（＋１８０度）とし、左半面の座標を０度から（−１８０度）として表している。β軸についても同様である。球面座標系によって球面上の全ての点は一義的に定められる。地球儀の画像データは球面座標系の全ての画素点の座標を読み取り、読み取った画素点のアドレスと画素データ（ＧＲＢデータ）が記録装置３０に記録される。
【００３１】
しかし、図３（Ａ）の球面座標系は直感的に理解しにくいので、これを展開した平面座標系を考える。図３（Ｂ）は展開した平面座標系を示す。
図３（Ｂ）では、α軸は原点０を中心として右側に０度〜（＋１８０度）を有し、左側に０度〜（−１８０度）を有し、（＋１８０度）と（−１８０度）の点を同一の点と見なす。これにより、α軸は３６０度を周期とする座標系である。また、β軸についてもα軸と同様に考える。平面座標系では単位を角度（度数）が均一長さに目盛られた座標系である。メモリ４１には球面座標系の画素点と同一の座標値の点を持つ平面座標系が作成され、この画素点にはアドレスのみがコピーされ、画素データは記録装置３０の画素データを援用する。
【００３２】
以下に移動操作が必要な理由と、本発明が円錐角９０度〜１２０度を採用している理由について説明する。表示部１１に表示されている図形等は球体表面１１０（図２（Ａ））の一部のみを表示しているだけであって、全体を同時に表示できない。従って、表示部１１に表示されている部分を移動操作することにより、球体表面１１０全体に表示されている世界地図等の全ての図を表示することが可能になる。即ち、図２（Ａ）から推測できるように、表示面が半球１１１（円錐角１８０度）の場合はβ軸方向に１回転すれば、全体の図面が表示できる。しかし、円錐角が９０度の場合はα軸方向に１回転、β軸方向に１回転させることで球体表面１１０全体の図面等を表示することが可能になる。即ち、円錐角が９０度未満の場合は２回転より多い回転数が必要である。円錐角が１２０度の場合（表示面１１３）は略２回転が必要であるが、表示面が大きくなり、重複して表示される部分が多くなるため見やすくなる。また、円錐角が１２０度以上の場合は表示面の縁部は前後方向に曲がり、視線方向と重なるために見にくい部分が増えるだけである。以上が円錐角を９０度〜１２０度とした理由である。
【００３３】
以下に述べる移動操作については、平面座標系を利用して説明する。
図４は表示部１１に表示されている図面等（例：地図）の移動操作を説明する図である。移動操作は操作パネル５０の移動ボタン５１を押して行う。図４において、表示部１１の中央点１１ｃの円１１ａを操作パネル５０の操作ボタン５１を利用して上下左右の移動により点１１ｄに移動させる。移動後の表示部１１は図の点線の円１１ｂになる。しかし、球面座標系（図４（Ｂ））では移動後の座標位置や形状が球面座標系の表示となるため、理解しにくい。そこで、平面座標系（図４（Ｃ））を利用して説明する。図４（Ｃ）で、中央点１１ｃは移動ボタン５１による左右方向と上下方向の移動距離の合成ベクトルとして決定される。また、移動後の表示部１１の図形は点１１ｄを中心として表示部１１と同一直径の円、即ち、表示部１１の円錐角を直径とする円１１ｂとなる。従って、平面座標系を利用すれば、円１１ｂ内の全ての画素点の位置座標からアドレスを読み取り、読み取ったアドレスに対応する画素データ（ＧＲＢデータ）を記録装置３０から読み取って、アドレスデータと画素データを表示装置１０に送信して図形を表示させればよい。
【００３４】
地球表面の画像データを作成するには地球儀を利用するのが最も有効である。地球は地球儀のように正しい球状をしていないが、地球儀を利用しても大きな誤差は生じない。地球儀にも大小様々な地球儀があるが、目的に適した大きさの地球儀を利用する。大きい地球儀は詳細な部分まで表示されているが、詳細な部分まで表示するためには表示装置１０の表示部１１の直径も大きくなる。なお、地球儀が大きい場合であっても、計算機を利用して図面等を縮小してもよい。
【００３５】
図５は地球儀６０から地球儀６０の表面の画像データを作成する装置例を示す。図５において、地球儀６０を軸６１（６１ａ、６１ｂ）によって支持され、軸６１は軸受６２によって回転自在に支持され、軸受６２は支持台６５の頂部に固定され、支持台６５は基台６６に固定されている。一方の軸端６１ａはパルスモータ６７に駆動可能に接続されており、他方の軸端６１ｂには回転角度を検出するセンサー６３が装着されている。パルスモータ６７は図示されていない制御器により一定角度だけ回転し、一定時間停止するように制御されている。また、地球儀６０の外側近傍に半円弧状のガイドレール６８が堅固に固設されており、ガイドレール６８にはデータ読み取りセンサー７０が取り付けられている。データ読み取りセンサー７０はガイドレール６８に付されている角度と地球儀６０のＲＧＢデータを読み取って、記録装置３０にデータを出力する。この記録装置３０は同時に回転角度検出センサーからの角度とガイドレール６８の角度が記録される。記録装置３０はガイドレール６８の角度データと回転角度のデータから球面座標系の位置を算出し、画像データと共に記録メモリに記録する。
【００３６】
図６は操作パネル５０に設けたジャンプボタン５２の説明図である。ジャンプボタン５２は大都市、首都、観光資源、世界遺産等の地球上の主たる場所や地域の更に詳細な情報を説明するために設けたボタンである。操作ボタン５２は、大都市や首都等の先頭に付けられたジャンプ可能目印（例えば、小さな赤丸等）が表示部１１の中央に設けられているピンク色の小丸に入ったときにジャンプボタン（操作ボタン５２の左側の丸印ボタン）を押すとその場所や地域の地図が表示部に表示される。更に、該地図に記された観光スポットの先頭に付けられた赤丸等の目印が表示部１１の中央に設けられているピンク色の小丸に入ったときにジャンプボタン（操作ボタン５２の左側の丸印ボタン）を押すと、その観光スポットの写真や動画が表示部１１にされ、説明の音声がスピーカー１３から流れる。ジャンプ先の地図や観光スポットの写真や動画は予め記録装置３０に記録しておく。右側の四角ボタン（リターンボタン）を１回押すと元の地域の地図が表示され、更に右側の四角ボタンをもう１回押すと元の世界地図が表示部１１に表示される。これによって、世界各地の写真や動画を見ることができる。
【００３７】
図７は操作パネル５０に設けた検索ボタン５３の説明図である。検索ボタン５３はスタートボタン（Ｓ）を押すと図７の空白のテーブルが表示される。下向き矢印ボタンを押すと、検索したい類別、例えば、国名、都市、島・半島、・・・が順次表示される。最後まで行くと再度、国名、都市、が表示される。知りたい名前の類別の項目を選んだら、次に、右向き矢印ボタンを押すと選んだ類別の名称が例えば、アイウエオ順に順次表示される。知りたい名称を選んだら決定ボタン“Ｄ”を押すと、知りたい名称の地図が表示面１１の中央に表示される。終了するときは終了ボタン（E）を押す。
尚、操作パネル５０に現在表示されている地図等の図形を拡大表示する拡大表示ボタンを設けてもよい。
【符号の説明】
【００３８】
１０          表示装置
１１          表示部
１１ａ      移動前の表示部
１１ｂ      移動後の表示部
１１ｃ      移動前の表示部中心点
１１ｄ      移動後の表示部中心点
１２          固定部
１３          スピーカー
２０          アドレス／データ・バス
３０          記録装置
４０          制御装置
４１          メモリ
５０          操作パネル
５１          移動ボタン
５２          ジャンプボタン
５３          検索ボタン
５４          オン・オフ  スイッチ
６０          球体（地球儀）
６１          軸
６１ａ      右端軸
６１ｂ      左端軸
６２          軸受
６３          角度検出センサー
６５          支持台
６６          基台
６７          パルスモータ
６８          ガイドレール
７０          データ読み取りセンサー
１１０        球面（球体表面）
１１１        従来の表示装置の表示部
１１２        本発明の表示部（最小）
１１３        本発明の表示部（最大）
【図１】
2014170033.tif 000003
【図２】
2014170033.tif 000004
【図３】
2014170033.tif 000005
【図４】
2014170033.tif 000006
【図５】
2014170033.tif 000007
【図６】
2014170033.tif 000008
【図７】
2014170033.tif 000009